【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
任意のデバイスを接続可能な複数のインターフェイスと、前記複数のインターフェイスに電力を供給可能な電源制御手段とを有する印刷装置において、
前記デバイスが接続される前記インターフェイスが前記電源制御手段に対して内部接続されている場合に有効となる内部接続フラグを有し、
前記デバイスから前記インターフェイスを介して所定範囲を超える電源供給要求が行なわれた際、前記電源制御手段は、当該インターフェイスの前記内部接続フラグが有効となっていない場合は当該インターフェイスに対する電源供給を停止するとともに他のインターフェイスに対する電源供給を継続するように制御することを特徴とする印刷装置。
【請求項２】
任意のデバイスを接続可能な複数のインターフェイスと、前記複数のインターフェイスに電力を供給可能な電源制御手段とを有する印刷装置において、
インターフェイスに接続されたデバイスの種別を判別する判別手段と、
前記電源制御手段は、デバイスから所定範囲を超える電力が要求された場合、前記判別手段の判別結果が特定のデバイスであれば、前記特定のデバイスが接続されたインターフェイスへの電力の供給を停止するとともに、特定のデバイスが接続されたインターフェイス以外のインターフェイスへの電力の供給を継続するように制御することを特徴とする印刷装置。
【請求項３】
さらにインターフェイスに接続されたデバイスタイプを取得する取得手段を有し、
前記判別手段は、前記取得手段によって取得したデバイスタイプに基づいて、デバイスの種別を判別することを特徴とする請求項２に記載の印刷装置。
【請求項４】
前記インターフェイスがＵＳＢインターフェースであることを特徴とする請求項１または請求項２に記載の印刷装置。
【請求項５】
任意のデバイスを接続可能な複数のインターフェイスと、前記インターフェイスが内部接続されている場合に有効となる内部接続フラグを有する印刷装置の制御方法において、
前記デバイスから前記インターフェイスを介して所定範囲を超える電源供給要求の有無を判定する判定工程と、
前記複数のインタフェイスに対する電力供給を制御する電源制御工程とを有し、
前記電源制御工程において、前記判定工程において所定範囲を超える電源供給要求が行なわれたと判定された場合、当該インターフェイスの前記内部接続フラグが有効となっていない場合は当該インターフェイスに対する電源供給を停止するとともに他のインターフェイスに対する電源供給を継続するように制御することを特徴とする印刷装置の制御方法。
【請求項６】
任意のデバイスを接続可能な複数のインターフェイスを有する印刷装置の制御方法において、
前記複数のインターフェイスに電力を供給する電源制御工程と、
インターフェイスに接続されたデバイスの種別を判別する判別工程と、
デバイスから所定範囲を超える電力が要求された場合、前記判別工程の判別結果が特定のデバイスであれば、前記電源制御工程において前記特定のデバイスが接続されたインターフェイスへの電力の供給を停止するとともに、特定のデバイスが接続されたインターフェイス以外のインターフェイスへの電力の供給を継続するように制御することを特徴とする印刷装置の制御方法。
【手続補正２】
【補正対象書類名】明細書
【補正対象項目名】発明の名称
【補正方法】変更
【補正の内容】
【発明の名称】印刷装置、および印刷装置の制御方法
【手続補正３】
【補正対象書類名】明細書
【補正対象項目名】０００１
【補正方法】変更
【補正の内容】
【０００１】
本発明は、印刷データを供給する印刷データ供給デバイスを前記印刷データ供給デバイスに対して電源供給を行なう汎用インターフェイスを介して接続する印刷装置、およびその制御方法に関するものである。
【手続補正４】
【補正対象書類名】明細書
【補正対象項目名】００１０
【補正方法】変更
【補正の内容】
【００１０】
本発明は、上記の課題を解決するため、印刷データを供給する印刷データ供給デバイスを前記印刷データ供給デバイスに対して電源供給を行なう汎用インターフェイスを介して接続する印刷装置、その制御方法、およびその制御プログラムにおいて、前記印刷データ供給デバイスから供給される印刷データの印刷出力、および前記印刷データ供給デバイスに対する電源供給を制御する制御手段に対して前記汎用インターフェイスの入出力ポートが内部接続されている場合に有効となる内部接続フラグを参照し、前記印刷データ供給デバイスから前記汎用インターフェイスの入出力ポートを介して所定範囲を超える過大な電源供給要求が行なわれた際、当該入出力ポートの前記内部接続フラグが有効となっている場合は当該入出力ポートに対する電源供給を許可し、当該入出力ポートの前記内部接続フラグが有効となっていない場合は当該入出力ポートに対する電源供給を停止する制御を行なう構成を採用した。任意のデバイスを接続可能な複数のインターフェイスと、前記複数のインターフェイスに電力を供給可能な電源制御手段とを有する印刷装置、およびその制御方法において、前記デバイスが接続される前記インターフェイスが前記電源制御手段に対して内部接続されている場合に有効となる内部接続フラグを有し、前記デバイスから前記インターフェイスを介して所定範囲を超える電源供給要求が行なわれた際、前記電源制御手段は、当該インターフェイスの前記内部接続フラグが有効となっていない場合は当該インターフェイスに対する電源供給を停止するとともに他のインターフェイスに対する電源供給を継続するように制御する構成を採用した。
【手続補正５】
【補正対象書類名】明細書
【補正対象項目名】００１１
【補正方法】変更
【補正の内容】
【００１１】
あるいは、印刷データを供給する印刷データ供給デバイスを前記印刷データ供給デバイスに対して電源供給を行なう汎用インターフェイスを介して接続する印刷装置、その制御方法、およびその制御プログラムにおいて、前記印刷データ供給デバイスから前記汎用インターフェイスの入出力ポートを介して所定範囲を超える過大な電源供給要求が行なわれた際、当該入出力ポートに接続された前記印刷データ供給デバイスのデバイスタイプが特定のデバイスタイプである場合は当該入出力ポートに対する電源供給を許可し、当該入出力ポートに接続された前記印刷データ供給デバイスのデバイスタイプが上記特定のデバイスタイプ以外のデバイスタイプである場合は当該入出力ポートに対する電源供給を停止する制御を行なう構成を採用した。任意のデバイスを接続可能な複数のインターフェイスと、前記複数のインターフェイスに電力を供給可能な電源制御を行う印刷装置、およびその制御方法において、デバイスから所定範囲を超える電力が要求された場合、接続されたインターフェイスが特定のデバイスであれば、そのインターフェイスへの電力の供給を停止するとともに、特定のデバイスが接続されたインターフェイス以外のインターフェイスへの電力の供給を継続するように制御を行なう構成を採用した。
【手続補正６】
【補正対象書類名】明細書
【補正対象項目名】００１２
【補正方法】変更
【補正の内容】
【００１２】
上記構成によれば、汎用インターフェイスから所定範囲を超える過大な電源供給要求が行なわれた場合でも、メモリカードスロットのように印刷装置にあらかじめ組み込まれ、入出力ポートが内部接続により制御回路に接続された汎用インターフェイスを介してアクセスされる印刷データ供給デバイスに対しては電源供給を続行でき、当該印刷データ供給デバイスのデータ破壊などの事故を未然に防止することができる。
【手続補正７】
【補正対象書類名】明細書
【補正対象項目名】００１３
【補正方法】変更
【補正の内容】
【００１３】
また、汎用インターフェイスから所定範囲を超える過大な電源供給要求が行なわれた場合でも、特定のデバイスタイプの印刷データ供給デバイスに対しては電源供給を続行でき、当該印刷データ供給デバイスのデータ破壊などの事故を未然に防止することができる。